【手続補正書】
【提出日】平成26年3月11日(2014.3.11)
【手続補正１】
【補正対象書類名】特許請求の範囲
【補正対象項目名】全文
【補正方法】変更
【補正の内容】
【特許請求の範囲】
【請求項１】
データに関する修正されたオープンアドレスフレーム要求に応答して、ルーティングアドレスを提供するために、シリアルにアタッチされたＳＣＳＩストレージシステム内で使用されるエキスパンダのルックアップテーブル内のエントリーの数を削減する方法であって、
前記シリアルにアタッチされたＳＣＳＩストレージシステム内で前記修正されたオープンアドレスフレーム要求内のルーティング情報を受信することを含み、前記修正されたオープンアドレスフレーム要求は、
発信源エキスパンダ識別情報フィールドと、
発信源物理アドレス情報フィールドと、
宛先エキスパンダ識別情報フィールドと、
宛先物理アドレス情報フィールドとを含み、さらに、
前記シリアルにアタッチされたＳＣＳＩストレージシステム内のイニシエータとターゲットとの間でデータを経路指定するために、前記修正されたオープンアドレスフレーム要求内の前記ルーティング情報に対応する前記ルックアップテーブル内の前記ルーティング情報を使用する、ことを含む方法。
【請求項２】
前記発信源エキスパンダ識別情報フィールド内で受信された発信源エキスパンダ識別情報が発信源エキスパンダ物理アドレスを含む、請求項１に記載の方法。
【請求項３】
前記宛先エキスパンダ識別情報フィールド内で受信された宛先エキスパンダ識別情報が宛先エキスパンダ物理アドレスを含む、請求項２に記載の方法。
【請求項４】
イニシエータとターゲットとの間でデータを経路指定するために、前記ルックアップテーブル内の前記ルーティング情報を使用する前記プロセスが、
イニシエータとターゲットとの間でデータを経路指定するために、コンテンツアドレス指定可能メモリルックアップテーブル内のルーティング情報を使用することを含む、請求項３に記載の方法。
【請求項５】
前記修正されたオープンアドレスフレーム要求内のルーティング情報を受信する前記プロセスが、
前記修正されたオープンアドレスフレーム要求のより互換性のある特徴フィールド内のルーティング情報を受信することを含む、請求項１に記載の方法。
【請求項６】
データに関する修正されたオープンアドレスフレーム要求に応答して、ルーティングアドレスを提供するために、シリアルにアタッチされたＳＣＳＩストレージシステム内で使用されるエキスパンダのルックアップテーブル内のエントリーの数を削減する方法であって、
前記シリアルにアタッチされたＳＣＳＩストレージシステム内で前記修正されたオープンアドレスフレーム要求内のルーティング情報を受信することを含み、前記修正されたオープンアドレスフレーム要求は、
発信源エキスパンダアドレス情報と、
宛先エキスパンダアドレス情報と、を含み、
前記修正されたオープンアドレスフレーム要求は、宛先ターゲットＳＡＳアドレスを提供せず、さらに、
前記シリアルにアタッチされたＳＣＳＩストレージシステム内のイニシエータとターゲットとの間でデータを経路指定するために、前記修正されたオープンアドレスフレーム要求内の前記ルーティング情報に対応する前記ルックアップテーブル内の前記ルーティング情報を使用する、ことを含む方法。
【請求項７】
前記発信源エキスパンダアドレス情報が、発信源エキスパンダ物理アドレスを含む、請求項６に記載の方法。
【請求項８】
前記宛先エキスパンダ情報が、宛先エキスパンダ物理アドレスを含む、請求項７に記載の方法。
【請求項９】
イニシエータとターゲットとの間でデータを経路指定するために、前記ルックアップテーブル内の前記ルーティング情報を使用する前記プロセスが、
イニシエータとターゲットとの間でデータを経路指定するために、コンテンツアドレス指定可能メモリルックアップテーブル内のルーティング情報を使用する、ことを含む請求項８に記載の方法。
【請求項１０】
前記修正されたオープンアドレスフレーム要求内のルーティング情報を受信する前記プロセスが、
前記修正されたオープンアドレスフレーム要求のより互換性のある特徴フィールド内のルーティング情報を受信することを含む、請求項６に記載の方法。
【請求項１１】
データに関する修正されたオープンアドレスフレーム要求に応答して、ルーティングアドレスを提供するために、所与のトポロジを有するシリアルアタッチドＳＣＳＩストレージシステム内で使用されるエキスパンダのルックアップテーブル内のエントリーの数を削減するプロセスであって、
前記ストレージシステムの前記トポロジ内に存在するデバイスの物理アドレスに関するアドレス範囲を生成し、
前記アドレス範囲をルックアップテーブル内に格納し、
前記修正されたオープンアドレスフレーム要求の前記アドレスのアドレス範囲情報を決定するために、前記修正されたオープンアドレスフレーム要求のアドレスを検査し、
前記デバイスに経路指定するための物理層指標を取り出すために、前記修正されたオープンアドレスフレーム要求の前記アドレスの前記ルックアップテーブル内の前記アドレス範囲情報を使用する、ことを含むプロセス。
【請求項１２】
前記アドレス範囲をルックアップテーブル内に格納する前記プロセスが、
前記アドレス範囲を３値コンテンツアドレス指定可能メモリ内に格納することを含む、請求項１１に記載のプロセス。
【請求項１３】
前記アドレス範囲を生成するために、前記エキスパンダ内でプロセスを使用することをさらに含む、請求項１２に記載のプロセス。
【請求項１４】
データに関する修正されたオープンアドレスフレーム要求に応答して、ルーティングアドレスを提供するために、所与のトポロジを有するシリアルアタッチドＳＣＳＩストレージシステム内で使用されるエキスパンダのルックアップテーブル内のエントリーの数を削減する方法であって、
前記ストレージシステムの前記トポロジに関する前記ルーティングアドレスを取得するために発見ルーチンを実行し、
前記ルーティングアドレスを追加のＲＡＭ内に格納し、
最近最も使用された前記ルーティングアドレスを用いてルックアップテーブルを設定し、
前記修正されたオープンアドレスフレーム要求を読み取り、
前記修正されたオープンアドレスフレーム要求内に含まれたアドレス情報を前記ルックアップテーブル内に格納された前記ルーティングアドレスと比較し、
前記ルックアップテーブル内に格納された前記ルーティングアドレスが前記修正されたオープンアドレスフレーム要求内に含まれた前記アドレス情報と整合するときには、前記修正されたオープンアドレスフレーム要求を経路指定するために、前記ルーティングアドレスを提供し、
前記ルックアップテーブル内に格納された前記ルーティングアドレスが前記修正されたオープンアドレスフレーム要求内に含まれた前記アドレス情報と整合しないときには、前記追加のＲＡＭにアクセスし、
前記修正されたオープンアドレスフレーム要求内に含まれた前記アドレス情報を前記追加のＲＡＭ内に格納された前記ルーティングアドレスと比較し、
前記追加のＲＡＭ内に格納された前記ルーティングアドレスが前記修正されたオープンアドレスフレーム要求内に含まれた前記アドレス情報と整合するときには、前記修正されたオープンアドレスフレーム要求を経路指定するために、前記ルーティングアドレスを提供する、ことを含む方法。
【請求項１５】
前記追加のＲＡＭ内に格納された前記ルーティングアドレスが前記修正されたオープンアドレスフレーム要求内に含まれた前記アドレス情報と整合するときには、前記ルーティングアドレスを提供する前記プロセスが、
前記ルックアップテーブル内で最近最も使用されなかったエントリーを決定し、
前記ルックアップテーブル内の前記最近最も使用されなかったエントリーを除去し、
前記ルーティングアドレスを前記ルックアップテーブル内に格納し、
前記ルーティングアドレスを前記ルックアップテーブル内に格納した後で、前記修正されたオープンアドレスフレーム要求内に含まれたアドレス情報を前記ルックアップテーブル内に格納された前記ルーティングアドレスと比較する、ことをさらに含む請求項１４に記載の方法。
【請求項１６】
最近最も使用された前記ルーティングアドレスを用いて、ルックアップテーブルを設定する前記プロセスが、
最近最も使用された前記ルーティングアドレスを用いて、コンテンツアドレス指定可能メモリを設定することを含む、請求項１４に記載の方法。